(57)【要約】【課題】本発明の目的は壁面直付けにも棚柱を利用した取り付けにも共有することができるハンガーパイプ受けを提供することにある。【解決手段】一定間隔で取付孔(5)が形成されている長尺の棚柱(4)を収納する棚柱収納溝(6)が背面に凹設され、前記棚柱収納溝(6)に合わせ且つ棚柱(4)の取付孔(5)に一致して穿設された固定孔(7)を有する取付プレート部(2)と、該取付プレート部(2)の前面に、上方及び前方に開口してハンガーパイプ(8)の端部(8a)が嵌め込まれる端部収納部(3)が形成されている端部収納部(3)とで構成されたことを特徴とする。【選択図】図２
2012090799.tif 000002
【特許請求の範囲】
【請求項１】
一定間隔で取付孔が形成されている長尺の棚柱を収納する棚柱収納溝が背面に凹設され、前記棚柱収納溝に合わせ且つ棚柱の取付孔に一致して穿設された固定孔を有する取付プレート部と、該取付プレート部の前面に、上方及び前方に開口してハンガーパイプの端部が嵌め込まれる端部収納部が形成されている端部収納部とで構成されたことを特徴とするハンガーパイプ受け。
【請求項２】
端部収納部の上端開口縁にハンガーパイプの端部の上端側部を係止する係止用突部が凸設されていることを特徴とする請求項１に記載のハンガーパイプ受け。
【請求項３】
一定間隔で取付孔が形成されている長尺の棚柱を対向する壁面に対向させて固定し、請求項１または２に記載のハンガーパイプ受けの背面の棚柱収納溝を棚柱に嵌め込み、棚柱の取付孔を介してハンガーパイプ受けの固定孔をビス止めすることを特徴とするハンガーパイプ受けの施工方法。
【発明の詳細な説明】
【技術分野】
【０００１】
本発明は収納製品の側壁間や建物の対向する壁間に架設される新規なハンガーパイプ受けとその施工方法に関する。
【背景技術】
【０００２】
従来、収納製品の側壁間や建物の対向する壁間には一対のハンガーパイプ受けが対向して設けられ、このハンガーパイプ受けにハンガーパイプが架設されて多数のハンガーを引っ掛け、そこに洋服を吊り下げるようにしている。ハンガーパイプ受けの取り付け方法としては特許文献１に示すように、収納製品や壁の表面に直接ビス止めしたり、特許文献２に示すように収納製品や壁の対向する表面のそれぞれに棚柱を複数本平行にして縦方向に取り付け、この棚柱間にハンガーパイプ受けが設けられた横バーを収納製品の内側面や壁に平行に架設し、この対向する横バーの一対となるハンガーパイプ受けにハンガーパイプを架け渡し、前述のように多数のハンガーを引っ掛け洋服を吊り下げるような例も示されている。この方法では横バーを必要とし、外観が悪いだけでなくコストアップの原因となり、又、施工がより面倒にもなる。その他、片側のみに棚柱を設けた場合にはハンガーパイプの架設に対応が出来ない。
【０００３】
そしていずれの場合も壁面直付けか棚柱のいずれかにのみしか適用することができず、両方の用途に共用することができない。しかもハンガーの引っ掛け部分の開口は比較的狭くしかも洋服を吊るした状態では持ち重りがするため、ハンガーパイプから脱着するときにハンガーパイプにハンガーが引っ掛かることがよくある。その場合、ハンガーパイプ受けにハンガーパイプの脱落防止機構が設けられてない場合には、時としてハンガーの脱着時にハンガーパイプがハンガーパイプ受けから脱落することもあった。
【先行技術文献】
【特許文献】
【０００４】
【特許文献１】特開平４−２５９４０８号公報
【特許文献２】実用新案登録第３１５６３４２号
【発明の概要】
【発明が解決しようとする課題】
【０００５】
本発明は係る従来例の問題点に鑑みてなされたもので、第１の目的は壁面直付けにも棚柱を利用した取り付けにも共有することができるハンガーパイプ受けを提供することにあり、第２の目的はハンガーが引っ掛かった時でもハンガーパイプがハンガーパイプ受けから容易に脱落しないハンガーパイプ受けを提供することにあり、第３の目的は前記ハンガーパイプ受けを使用した施工方法を提供することにある。
【課題を解決するための手段】
【０００６】
請求項１に記載した発明は、「一定間隔で取付孔(5)が形成されている長尺の棚柱(4)を収納する棚柱収納溝(6)が背面に凹設され、前記棚柱収納溝(6)に合わせ且つ棚柱(4)の取付孔(5)に一致して穿設された固定孔(7)を有する取付プレート部(2)と、該取付プレート部(2)の前面に、上方及び前方に開口してハンガーパイプ(8)の端部(8a)が嵌め込まれる端部収納部(3)が形成されている端部収納部(3)とで構成されたことを特徴とするハンガーパイプ受け(1)」である。
【０００７】
請求項２に記載した発明は、請求項１のハンガーパイプ受け(1)に「端部収納部(3)の上端開口縁にハンガーパイプ(8)の端部(8a)の上端側部(8e)を係止する係止用突部(3b)が凸設されている」ことを特徴とする。
【０００８】
請求項３に記載した方法発明は、「一定間隔で取付孔(5)が形成されている長尺の棚柱(4)を対向する壁面(10)に対向させて固定し、請求項１または２に記載のハンガーパイプ受け(1)の背面の棚柱収納溝(6)を棚柱(4)に嵌め込み、棚柱(4)の取付孔(5)を介してハンガーパイプ受け(1)の固定孔(7)をビス止めする」ことを特徴とする。
【発明の効果】
【０００９】
請求項１に記載した発明では、ハンガーパイプ受け(1)の取付プレート部(2)に固定孔(7)が形成されているので、この固定孔(7)を利用して壁面(10)のいずれの部分にもハンガーパイプ受け(1)を直に取り付けることができ、しかもこの取付プレート部(2)の背面に棚柱(4)の棚柱収納溝(6)が凹設され、取付プレート部(2)の固定孔(7)が前記棚柱(4)の取付孔(5)に一致し且つ棚柱収納溝(6)に合わせて穿設されているので、取り付け時に固定孔(7)と取付孔(5)を一致させてビス止め或いは専用の固定金具(11)を用いるなどして棚柱(4)を利用して壁面(10)に取り付けることもできる。即ち、本発明のハンガーパイプ受け(1)は任意の位置における「壁面(10)」への直接ビス止めや、請求項３に示すような「棚柱(4)」を利用した壁面(10)への取り付けに兼用することができる。
【００１０】
そして、請求項２に示すように、端部収納部(3)の上端開口縁にハンガーパイプ(8)の端部(8a)の上端側部(8e)を係止する係止用突部(3b)が凸設されているので、一旦、ハンガーパイプ(8)の端部(8a)を端部収納部(3)に嵌め込むと、その上端開口縁の係止用突部(3b)が前記端部(8a)の上端側部(8e)を係止することになって仮令ハンガーの脱着時にハンガーがハンガーパイプ(8)にぶつかったとしてもハンガーパイプ(8)がハンガーパイプ受け(1)の端部収納部(3)から脱落するようなことはない。
【図面の簡単な説明】
【００１１】
【図１】本発明に係るハンガーパイプ受けの施工状態を示す一部省略正面図である。
【図２】図１に示すハンガーパイプ受けの部分斜視図である。
【図３】図１のＸ１−Ｘ１断面矢視図である。
【図４】本発明に係るハンガーパイプ受けの斜視図である。
【図５】図３のＹ１−Ｙ１断面矢視図である。
【図６】本発明に係るハンガーパイプ受けの正面図である。
【図７】図６の側面図である。
【図８】図６の底面図である。
【図９】図６の背面図である。
【図１０】本発明に係るハンガーパイプ受けの他の施工状態を示す一部省略正面図である。
【図１１】図１０に示すハンガーパイプ受けの部分斜視図である。
【図１２】図１０のＸ２−Ｘ２断面矢視図である。
【図１３】図１２のＹ２−Ｙ２断面矢視図である。
【図１４】図１１の分解斜視図である。
【発明を実施するための形態】
【００１２】
以下、発明の第１実施例を図１〜９に従って説明する。棚柱(4)はアルミ押し出し成形品或いは表面鍍金のスチールやステンレス帯板の曲げ加工品で、取付部(4a)に両端からリブ(4b)が同じ方向に凸設された横断面Ｕ字状の長尺物で、その取付部(4a)の上下および中間の適宜箇所に壁面(10)への取り付け用の壁面装着用通孔(4c)が形成され、壁面装着用通孔(4c)間に一定間隔で取付孔(5)が形成されている。取付孔(5)は４５°回転した正方形部分(5a)の上下コーナー部に矩形切欠(5b)が形成された形状、或いは後述するハンガーパイプ受け(1)の固定孔(7)と同じ長円に形成されている（図１４参照）。
【００１３】
ハンガーパイプ(8)はアルミニウムあるいは樹脂の中空押出成形品で、その外形は横断面小判形で外側面に全長にわたって長手方向に波状の凹凸(8c)が形成されており、さらに上下の外円弧面(8b)には全長にわたって長手方向にギザギザの凹凸(8d)が形成されている。
【００１４】
ハンガーパイプ受け(1)は例えばポリアミド、ポリカーボネート、ＰＥＴあるいはＡＢＳのような強度があり、成形（一般的には射出成形）が可能な樹脂製で、小判型の取付プレート部(2)と立体でＵ字形状の端部収納部(3)とで一体構成されている。取付プレート部(2)の背面は図９に示すように、平板部分の側縁からリブ(2a)が凸設されていて左右のリブ(2a)の突起部分(2b)間が棚柱収納溝(6)となっており、リブ(2a)の内側の棚柱収納溝(6)を構成する３箇所の突起部分(2b)が棚柱(4)のリブ(4b)の外側面に安定的に摺接する。棚柱収納溝(6)の深さは棚柱(4)のリブ(4b)の高さより若干浅く形成されている。そして、取付プレート部(2)には前記棚柱収納溝(6)に合わせ、棚柱(4)の取付孔(5)に一致して固定孔(7)が穿設されている。第１実施例の固定孔(7)はビス止めされるため、皿ビス(9)の頭に合うように、テーパー状に形成されている。
【００１５】
端部収納部(3)はハンガーパイプ(8)の端部(8a)に合わせて上方及び前方に開口した立体でＵ字状に形成されており、その上端開口縁にハンガーパイプ(8)の端部(8a)の上端側部(8e)のギザギザの凹凸(8d)に係止する係止用突部(3b)が全長にわたって凸設されている。即ち、両係止用突部(3b)の間隔はハンガーパイプ(8)の狭い方の横幅より若干狭く形成され、ハンガーパイプ(8)を両係止用突部(3b)の間に手での押圧により接触しつつ押し込むことができる程度の寸法に形成されている。端部収納部(3)の内周面の中段部分にはさらに係止リブ(3c)が水平に「または図示しないが係止突起が」凸設されており、ハンガーパイプ(8)を端部収納部(3)に嵌め込んだ時に係止リブ(3c)がハンガーパイプ(8)の外側面の波状の凹凸(8c)に嵌り込んで前述の上端側部(8e)とでハンガーパイプ(8)の保持力を強くしている。
【００１６】
しかして、棚柱(4)を利用する場合、棚柱(4)を建物の対向壁面(10)或いは収納棚の対向壁面(10)に対応させて配置し、その壁面装着用通孔(4c)を利用してビス(12)にてビス止めする。次に、ハンガーパイプ受け(1)の背面の棚柱収納溝(6)を棚柱(4)に嵌め込み、左右の両ハンガーパイプ受け(1)の高さを合わせた後、棚柱(4)の取付孔(5)を介してハンガーパイプ受け(1)の固定孔(7)をそれぞれ皿ビス(9)にてビス止めする。限定されるものではないが、本実施例では上下２箇所のビス止めが行われる。勿論、後述する固定金具(11)の使用も可能である。
【００１７】
然る後、ハンガーパイプ(8)の端部(8a)をハンガーパイプ受け(1)の両係止用突部(3b)の間から端部収納部(3)内に押し込む。この時、両係止用突部(3b)あるいはハンガーパイプ(8)の端部(8a)またはその両方が若干撓むことになる。このようにして対向壁面(10)間にハンガーパイプ(8)を架設する。
【００１８】
棚柱(4)を使用しない場合には、対向壁面(10)に対応させてハンガーパイプ受け(1)を配置し、その固定孔(7)をそれぞれ直接対向壁面(10)にビス止めする。そして同様に対向壁面(10)間にハンガーパイプ(8)を架設する。
【００１９】
架設されたハンガーパイプ(8)の上側の外円弧面(8b)のギザギザの凹凸(8d)に係止用突部(3b)が両側から係止し、更に端部収納部(3)の内周面の中段部分の係止リブ(3c)がハンガーパイプ(8)の外側面の波状の凹凸(8c)に嵌り込む。これによりハンガーの脱着時において、ハンガーがハンガーパイプ(8)に強く当たったとしてもハンガーパイプ(8)がハンガーパイプ受け(1)から脱落するようなことがない。なお、端部収納部(3)の内周面の中段部分の係止リブ(3c)は図示しているが必須のものではなく省略することも可能である。
【００２０】
次に、図１０〜１４に従って第２実施例を説明する。第１実施例と重複する部分は第１実施例の説明を援用する。第２実施例におけるハンガーパイプ受け(1)の固定孔(7)は上下に伸びた長円に形成されている。そしてこのハンガーパイプ受け(1)は棚柱(4)に取り付けるための専用の固定金具(11)にて取り付けられるようになっている。勿論、前述のビス固定も可能である。
【００２１】
固定金具(11)は正方形の固定頭部(11a)、固定頭部(11a)の幅より細いがその長さは幅より長くて長円形の取付孔(5)や固定孔(7)、或いは変形の取付孔(5)の矩形切欠(5b)間を通過できる寸法の棒状の固定係止部(11b)及び両者をつなぐ円柱状の固定脚部(11c)とで構成されており、固定脚部(11c)の直径は固定孔(7)及び取付孔(5)より細く、それゆえ挿入して回転できる太さとなっている。
【００２２】
このハンガーパイプ受け(1)の棚柱(4)への取り付けは、第１実施例に示したように配置した後、前後に重ねあわされた固定孔(7)と取付孔(5)に固定金具(11)の固定脚部(11c)を取付孔(5)の背面側に至る迄挿入し、その状態で９０°回転させる。すると、固定脚部(11c)は取付孔(5)の正方形部分(5a)に（或いは取付孔(5)が長円の場合には細幅を跨ぐように）係止し、棚柱(4)の取付部(4a)とハンガーパイプ受け(1)の取付プレート部(2)とを固定金具(11)の固定頭部(11a)と固定係止部(11b)とで挟み付けて固定するようになっている。従って、固定脚部(11c)の長さは後に重ねあわされた固定孔(7)と取付孔(5)の厚みに略等しい。それ以外の点は第１実施例と同じである。
【００２３】
以上により、本発明のハンガーパイプ受け(1)は壁面(10)への直接的な取り付けと、棚柱(4)への取り付けの両方に対応する事ができる。
【符号の説明】
【００２４】
(1)    ハンガーパイプ受け
(2)    取付けプレート部  
(2a)   リブ
(2b)   突起部分
(3)    端部収納部
(3a)   上端開口
(3b)   係止用突部
(4)    棚柱
(4a)   取付部
(4b)   リブ
(4c)   壁面装着用通孔
(5)    取付孔
(5a)   正方形部分
(5b)   矩形切欠
(6)    棚柱収納溝
(7)    固定孔
(8)    ハンガーパイプ
(8a)   ハンガーパイプの端部
(8b)   上端側部
(8c)   係止リブ
(9)    皿ビス
(10)   対向壁面
・  固定金具
(11a)  固定頭部
(11b)  固定係止部
(11c)  固定脚部
【図１】
2012090799.tif 000003
【図２】
2012090799.tif 000004
【図３】
2012090799.tif 000005
【図４】
2012090799.tif 000006
【図５】
2012090799.tif 000007
【図６】
2012090799.tif 000008
【図７】
2012090799.tif 000009
【図８】
2012090799.tif 000010
【図９】
2012090799.tif 000011
【図１０】
2012090799.tif 000012
【図１１】
2012090799.tif 000013
【図１２】
2012090799.tif 000014
【図１３】
2012090799.tif 000015
【図１４】
2012090799.tif 000016